(57)【要約】      （修正有）【課題】表示部において複数の表示画面を表示させる場合に、各ユーザに応じた表示画面を表示部に的確に表示させる。【解決手段】ユーザ識別情報を含む複数の表示画面の画面データを表示部に表示させる表示用データとして登録する登録部１５５と、ユーザによって入力されたユーザ識別情報に基づいて、当該ユーザ識別情報を含む表示用データを、登録部１５５によって登録された表示用データの中から判別する判別部１５４とを備え、Script Interpreter １５１、Business Logic１５２、ブラウザ１６、及びコントローラ１１は、判別部１５４によって判別された表示用データを表示部に表示させる。【選択図】図２
2009302921.tif 000002
【特許請求の範囲】
【請求項１】
表示画面の画面データを電気機器の表示部に表示させるように、当該電気機器に内蔵されるコンピュータを機能させる表示制御プログラムであって、
ユーザ識別情報を含む複数の前記表示画面の画面データを、前記表示部に表示させる表示用データとして登録する登録部と、
当該電気機器にユーザにより入力されるユーザ識別情報に基づいて、当該ユーザ情報を含む表示用データを、前記登録部によって登録された表示用データの中から判別する判別部と、
前記判別部によって判別された表示用データを前記表示部に表示させる表示制御部と
して機能するように、コンピュータを機能させる表示制御プログラム。
【請求項２】
前記各表示用データについて前記表示部での表示頻度をユーザ毎に算出する表示頻度算出部として更に機能し、
前記判別部が、前記ユーザ情報を含む表示用データであって、前記表示頻度算出部によって算出された表示頻度の高い表示用データを判別し、
前記表示制御部が、当該判別部によって判別された表示用データを前記表示部に表示させるように、コンピュータを機能させる請求項１に記載の表示制御プログラム。
【請求項３】
表示画面を表示する表示部と、
ユーザ識別情報を含む複数の前記表示画面の画面データを、前記表示部に表示させる表示用データとして登録する登録部と、
当該電気機器にユーザにより入力されるユーザ識別情報に基づいて、当該ユーザ情報を含む表示用データを、前記登録部によって登録された表示用データの中から判別する判別部と、
前記判別部によって判別された表示用データを前記表示部に表示させる表示制御部と
を備える表示制御装置。
【請求項４】
前記各表示用データについて前記表示部での表示頻度をユーザ毎に算出する表示頻度算出部を更に備え、
前記判別部は、前記ユーザ情報を含む表示用データであって、前記表示頻度算出部によって算出された表示頻度の高い表示用データを判別し、
前記表示制御部は、当該判別部によって判別された表示用データを前記表示部に表示させる請求項３に記載の表示制御装置。
【請求項５】
情報処理装置と、画像形成装置とを有する画像形成システムであって、
前記情報処理装置は、
前記表示画面内に表示させる表示対象パーツの指定をユーザから受け付けるパーツ指定受付部と、
前記指定された表示対象パーツについての前記表示画面内での配置を指示するレイアウト指示をユーザから受け付けるレイアウト指示受付部と、
前記指定された表示対象パーツに対して、当該表示対象パーツに対応するアクションを関連付けて設定するアクション設定部と、
ユーザから入力されたユーザ識別情報を設定するユーザ識別情報設定部と、
前記表示対象パーツ指定、前記レイアウト指示、前記アクション設定、及び前記ユーザ情報設定部で定められた内容で前記表示画面の画面データを生成する生成部と、
前記生成部で生成された表示画面の画面データを前記画像形成装置に送信する送信部とを備え、
前記画像形成装置は、
前記表示画面を表示する表示部と、
ユーザ識別情報を含む複数の前記表示画面の画面データを、前記表示部に表示させる表示用データとして登録する登録部と、
当該電気機器にユーザにより入力されるユーザ識別情報に基づいて、当該ユーザ情報を含む表示用データを、前記登録部によって登録された表示用データの中から判別する判別部と、
前記判別部によって判別された表示用データを前記表示部に表示させる表示制御部と
を備える画像形成システム。
【請求項６】
前記画像形成装置は、
前記各表示用データについて前記表示部での表示頻度をユーザ毎に算出する表示頻度算出部を更に備え、
前記判別部は、前記ユーザ情報を含む表示用データであって、前記表示頻度算出部によって算出された表示頻度の高い表示用データを判別し、
前記表示制御部は、当該判別部によって判別された表示用データを前記表示部に表示させる請求項５に記載の画像形成システム。
【発明の詳細な説明】
【技術分野】
【０００１】
本発明は、表示制御プログラム、表示制御装置、及び画像形成システムに関し、特に、ユーザからの指示に従ってカスタマイズされた表示画面を表示部に表示させる際の技術に関する。
【背景技術】
【０００２】
従来から、ユーザからの指示を受け付けて、当該指示が示す動作等を行う画像形成装置等の電気機器では、装置前面の操作パネルにＬＣＤ（Liquid Crystal Display）等からなる表示部が設けられ、当該表示部に配設されたタッチパネル機能により、表示部に表示される表示画面内の各操作ボタンに対応する動作実行指示をユーザから受け付ける技術が採用されている（下記特許文献１参照）。
【特許文献１】特開２００７−２３２９０８号公開公報
【発明の開示】
【発明が解決しようとする課題】
【０００３】
上記画像形成装置は、多数のユーザによって共用されることが多いが、表示部において複数の表示画面を遷移させて表示する場合、各ユーザに応じた表示画面を表示部に表示させることはできない。例えば、ユーザが所望通りに操作ボタン等をカスタマイズして配置した表示画面を自在に表示部に表示させる表示制御を実現させたい場合であって、各ユーザによって様々な表示画面のデータが画像形成装置に蓄積されたとき等に、各ユーザ別に所望の表示画面を的確に選択して表示できるように技術の改善が望まれる。
【０００４】
本発明は、上記の問題を解決するためになされたもので、表示部において複数の表示画面を表示させる場合に、各ユーザに応じた表示画面を表示部に的確に表示させることを目的とする。
【課題を解決するための手段】
【０００５】
本発明の請求項１に記載の発明は、表示画面の画面データを電気機器の表示部に表示させるように、当該電気機器に内蔵されるコンピュータを機能させる表示制御プログラムであって、
ユーザ識別情報を含む複数の前記表示画面の画面データを、前記表示部に表示させる表示用データとして登録する登録部と、
当該電気機器にユーザにより入力されるユーザ識別情報に基づいて、当該ユーザ情報を含む表示用データを、前記登録部によって登録された表示用データの中から判別する判別部と、
前記判別部によって判別された表示用データを前記表示部に表示させる表示制御部と
して機能するように、コンピュータを機能させるものである。
【０００６】
また、請求項３に記載の発明は、表示画面を表示する表示部と、
ユーザ識別情報を含む複数の前記表示画面の画面データを、前記表示部に表示させる表示用データとして登録する登録部と、
当該電気機器にユーザにより入力されるユーザ識別情報に基づいて、当該ユーザ情報を含む表示用データを、前記登録部によって登録された表示用データの中から判別する判別部と、
前記判別部によって判別された表示用データを前記表示部に表示させる表示制御部と
を備える表示制御装置である。
【０００７】
これらの発明によれば、判別部が、当該ユーザによって入力されたユーザ識別情報に基づいて、当該ユーザに対応付けられた表示用データを、登録されている表示用データの中から判別し、表示制御部が表示部に表示させるので、表示部において複数の表示画面を表示させる場合に、各ユーザに応じた表示画面を表示部に的確に表示させることができる。
【０００８】
また、請求項２に記載の発明は、請求項１に記載の表示制御プログラムであって、前記各表示用データについて前記表示部での表示頻度をユーザ毎に算出する表示頻度算出部として更に機能し、
前記判別部が、前記ユーザ情報を含む表示用データであって、前記表示頻度算出部によって算出された表示頻度の高い表示用データを判別し、
前記表示制御部が、当該判別部によって判別された表示用データを前記表示部に表示させるように、コンピュータを機能させるものである。
【０００９】
また、請求項４に記載の発明は、請求項３に記載の表示制御装置であって、前記各表示用データについて前記表示部での表示頻度をユーザ毎に算出する表示頻度算出部を更に備え、
前記判別部は、前記ユーザ情報を含む表示用データであって、前記表示頻度算出部によって算出された表示頻度の高い表示用データを判別し、
前記表示制御部は、当該判別部によって判別された表示用データを前記表示部に表示させるものである。
【００１０】
これらの発明によれば、判別部が、ユーザ識別情報を含む表示用データであって表示頻度の高い表示用データを判別し、表示制御部は当該判別された表示用データを表示部に表示させるので、同じユーザ識別情報を含む複数の表示画面が登録されている場合であっても、各ユーザにとって最も利用価値が高い表示画面が判別されて表示され、ユーザにとっての利便性を高めることができる。
【００１１】
また、請求項５に記載の発明は、情報処理装置と、画像形成装置とを有する画像形成システムであって、
前記情報処理装置は、
前記表示画面内に表示させる表示対象パーツの指定をユーザから受け付けるパーツ指定受付部と、
前記指定された表示対象パーツについての前記表示画面内での配置を指示するレイアウト指示をユーザから受け付けるレイアウト指示受付部と、
前記指定された表示対象パーツに対して、当該表示対象パーツに対応するアクションを関連付けて設定するアクション設定部と、
ユーザから入力されたユーザ識別情報を設定するユーザ識別情報設定部と、
前記表示対象パーツ指定、前記レイアウト指示、前記アクション設定、及び前記ユーザ情報設定部で定められた内容で前記表示画面の画面データを生成する生成部と、
前記生成部で生成された表示画面の画面データを前記画像形成装置に送信する送信部とを備え、
前記画像形成装置は、
前記表示画面を表示する表示部と、
ユーザ識別情報を含む複数の前記表示画面の画面データを、前記表示部に表示させる表示用データとして登録する登録部と、
当該電気機器にユーザにより入力されるユーザ識別情報に基づいて、当該ユーザ情報を含む表示用データを、前記登録部によって登録された表示用データの中から判別する判別部と、
前記判別部によって判別された表示用データを前記表示部に表示させる表示制御部と
を備えるものである。
【００１２】
この発明によれば、ユーザにより情報処理装置で生成された表示画面の画面データであって、当該情報処理装置から取得されて登録されている表示画面の画面データについて、判別部が、当該ユーザによって入力されたユーザ識別情報に基づいて、当該ユーザ識別情報を含む表示用データを、登録されている表示用データの中から判別し、表示制御部が表示部に表示させるので、表示部において、ユーザにより生成された表示画面を各ユーザに応じて複数表示させる場合に、各ユーザに応じた表示画面を表示部に的確に表示させることができる。
【００１３】
また、請求項６に記載の発明は、請求項５に記載の画像形成システムであって、前記画像形成装置は、
前記各表示用データについて前記表示部での表示頻度をユーザ毎に算出する表示頻度算出部を更に備え、
前記判別部は、前記ユーザ情報を含む表示用データであって、前記表示頻度算出部によって算出された表示頻度の高い表示用データを判別し、
前記表示制御部は、当該判別部によって判別された表示用データを前記表示部に表示させるものである。
【００１４】
この発明によれば、ユーザにより情報処理装置で生成された表示画面の画面データであって、当該情報処理装置から取得されて登録されている表示画面の画面データについて、判別部が、ユーザ識別情報を含む表示用データであって表示頻度の高い表示用データを判別し、表示制御部は当該判別された表示用データを表示部に表示させるので、同じユーザにより生成されて同じユーザ識別情報を有する表示画面が複数登録されている場合であっても、各ユーザにとって最も利用価値が高い表示画面が判別されて表示され、ユーザにとっての利便性を高めることができる。
【発明の効果】
【００１５】
本発明によれば、表示部において複数の表示画面を表示させる場合に、各ユーザに応じた表示画面を表示部に的確に表示させることができる。
【発明を実施するための最良の形態】
【００１６】
以下、本発明の一実施形態に係る表示制御プログラム、表示制御装置、及び画像形成システムについて図面を参照して説明する。図１は本発明の一実施形態に係る画像形成システムの一例を示す図である。画像形成システム１０は、少なくとも１台の複合機１と、少なくとも１台のパーソナルコンピュータ（サーバコンピュータＳＶ２及び各ＰＣ３１乃至３４の少なくとも１つ）でなる。
【００１７】
画像形成装置の一例である複合機１は、コピー機能、ファクシミリ機能、プリンタ機能、スキャナ機能等の機能を兼ね備えている。なお、複合機１における表示制御に関する各部を備える表示制御装置が、特許請求の範囲でいう表示制御装置の一例となる。さらに、複合機１は、スキャナ部で読み取った原稿の文書データを複合機１の内部記憶装置や、ＬＡＮ（local area network）等によって複合機１にネットワーク接続されたサーバコンピュータＳＶ２、各パーソナルコンピュータ（以下、ＰＣ）３１乃至３４内の記憶部等に格納すると共に、複合機１の内部記憶装置、サーバコンピュータＳＶ２及び各ＰＣ３１乃至３４内の記憶部に記憶されているプリント対象データを読み出してプリントアウトする等を行う文書管理機能を備えている。
【００１８】
さらに、複合機１には、ＬＣＤ（Liquid Crystal Display）からなる表示部５０が備えられている。また、サーバコンピュータＳＶ２又はＰＣ３１乃至３４の少なくとも１つは、複合機１の表示部５０で表示される表示画面の画面データ（以下、表示画面データという）を生成可能である。複合機１は、上記表示画面データを生成可能なサーバコンピュータＳＶ２又はＰＣ３１乃至３４から、表示部５０に表示画面を表示させるために当該画面データを受け取って表示部５０に表示する。画像形成システム１０による上記表示画面データの生成処理、複合機１における上記表示画面を表示するための構成及び処理は後述する。
【００１９】
次に、サーバコンピュータＳＶ２、ＰＣ３１乃至３４、及び複合機１の内部構成であって、表示画面データの生成処理及び表示処理に必要な構成を説明する。図２は、ＰＣ及び複合機１について表示画面の生成処理及び表示処理に必要な構成を示す図である。なお、サーバコンピュータＳＶ２、ＰＣ３１乃至３４で表示画面の生成処理に必要な構成は同様であるため、図２にはＰＣ３１の構成を示す。
【００２０】
ＰＣ３１は、制御部３１０と、記憶部３１１とを備えている。記憶部３１１は、ＨＤＤ等からなり、表示画面生成プログラムが記憶されている。制御部３１０は、ＣＰＵ等からなり、ＰＣ３１の全体的な動作制御を司ると共に、記憶部３１１に記憶されている表示画面生成プログラムに従って動作することで、パネルクリエータ部３１２と、パネルシミュレータ部３１３と、出力部３１４として機能する。
【００２１】
パネルクリエータ部３１２は、ＰＣ３１上において、複合機１の表示部５０に表示される表示画面の画面データを例えばXML（Extensible Markup Language）形式のデータで生成するツールである。パネルクリエータ部３１２は、パーツ指定受付部３１２１と、レイアウト指示受付部３１２２と、アクション設定部３１２３と、生成部３１２４として機能する。
【００２２】
パーツ指定受付部３１２１は、上記表示画面内に表示させる例えば操作ボタン、アイコン、文字列等の表示対象パーツの指定をＰＣ３１に備えられる図略の操作部（マウス又はキーボード等）を介してユーザから受け付ける。パーツ指定受付部３１２１は、ユーザが指定可能な複数の表示対象パーツの画像データを予め保有している。例えば、ユーザにより上記操作部に表示画面生成開始指示が入力されると、パーツ指定受付部３１２１は、ＰＣ３１に備えられるＬＣＤ等のディスプレイに、上記保有している表示対象パーツを表示させ、当該表示中の表示対象パーツからユーザ所望の表示対象パーツが操作部の操作でユーザにより指定されると、当該指定された表示対象パーツの指定を受け付けるようになっている。
【００２３】
レイアウト指示受付部３１２２は、パーツ指定受付部３１２１で指定された表示対象パーツについての表示画面内での配置を指示するレイアウト指示をユーザから受け付ける。例えば、レイアウト指示受付部３１２２は、ＰＣ３１に備えられるディスプレイに、上記表示画面の背景画像を擬似的に表示させ、当該背景画像中における任意の箇所がユーザにより上記操作部を用いて指定されると、当該指定された箇所を上記指定された表示対象パーツの配置箇所として受け付けるようになっている。
【００２４】
アクション設定部３１２３は、パーツ指定受付部３１２１で指定された表示対象パーツに対して、当該表示対象パーツに対応するアクションを関連付けて設定する。すなわち、パーツ指定受付部３１２１では、表示画面内に配置する表示対象パーツの種類がユーザにより指定されるが、アクション設定部３１２３は、当該指定された表示対象パーツに対して、当該表示対象パーツに対応する複合機１の動作を関連付けて設定する。例えば、アクション設定部３１２３は、「原稿サイズA3ボタン」という表示対象パーツがユーザにより指定された場合には、当該「原稿サイズA3ボタン」について予め対応付けられているアクションとして、「原稿サイズA3の記録用紙が格納されている給紙カセットから記録用紙を給紙させる指示を受け付ける動作」を「原稿サイズA3ボタン」に関連付けて設定する。
【００２５】
ユーザ識別情報設定部３１２５は、ＰＣ３１の操作部等からユーザにより入力されたユーザ識別情報を、パーツ指定受付部３１２１、レイアウト指示受付部３１２２及びアクション設定部３１２３で生成する表示画面について関連付けて設定する。
【００２６】
生成部３１２４は、パーツ指定受付部３１２１での上記表示対象パーツ指定、レイアウト指示受付部３１２２での上記レイアウト指示、アクション設定部３１２３での上記アクション設定で定められた内容、及びユーザ識別情報設定部３１２５で設定されたユーザ識別情報で表示画面を生成する処理を行う。すなわち、ユーザは、パーツ指定受付部３１２１での上記表示対象パーツ指定、レイアウト指示受付部３１２２での上記レイアウト指示、アクション設定部３１２３でのアクション設定、ユーザ識別情報設定部３１２５での設定のためのユーザ識別情報入力を行うと、生成部３１２４による表示画面生成処理により、複合機１の表示部５０に表示させる表示画面を所望通りにカスタマイズして作成することができる。本実施形態では、生成部３１２４は、XML形式で表示画面データをScriptファイルにエクスポートする。
【００２７】
パネルシミュレータ部３１３は、ＰＣ３１上にて、パネルクリエータ部３１２によってエクスポートされた上記Scriptファイルでなる表示画面データを読み込んで内容を解析し、ＰＣ３１に備えられるディスプレイでの表示を可能にするためにHTML形式のデータに変換を行い、当該HTML形式の表示画面ファイルをＰＣ３１上のブラウザに表示するツールである。
【００２８】
出力部３１４は、生成部３１２４によって生成された上記Scriptファイルでなる表示画面データを、ＬＡＮ等を介して複合機１に対して出力する。
【００２９】
一方、複合機１は、コントローラ１１と、記憶部１２と、プラットフォーム１３と、拡張アプリケーション１５と、ブラウザ１６とを備えている。コントローラ１１は、複合機１の全体的な動作制御を司る。
【００３０】
コントローラ１１は、ファームウェアとして備えられ、複合機１が有するスキャンデータ送信、印刷、データアクセス、システム設定、ネットワーク通信、JOB制御、データ登録などの基本機能を実行する。
【００３１】
プラットフォーム１３は、API（Application Programming Interface）や拡張アプリケーション１５が動作するための基盤である。プラットフォーム１３は、コントローラ１１とAPIとを中継する責務も持つ。
【００３２】
APIは、コントローラ１１によって実行される複合機１の上記基本機能をファームウェア以外から実行するためのインタフェイスである。APIは、プラットフォーム１３を通じて、ファームウェア内のコントローラ１１にアクセスして複合機１の上記基本機能を実行する。なお、複合機１の例えばスキャナ機能を実行するためには、拡張アプリケーション１５がスキャナ機能APIを呼び出す。
【００３３】
拡張アプリケーション１５は、複合機１に標準で搭載されるファームウェアではなく、後から追加インストール可能なアプリケーションである。拡張アプリケーション１５は、主にScript Interpreter １５１と、Business Logic１５２と、ユーザ認証部１５３と、判別部１５４と、登録部１５５と、表示頻度算出部１５６とで構成される。
【００３４】
Script Interpreter１５１は、登録部１５５により登録された上記表示画面データであるScriptファイルを読み込んで内容を解析する。Script Interpreter １５１は、上記表示画面データであるScriptファイルについて、表示部５０に表示画面を表示するためのHTML変換処理と、表示画面内に配置された操作ボタン等の表示対象パーツに関連付けられたアクションを実行するためのBusiness Logic１５２への展開処理とを行う。Script Interpreter １５１は、上記表示用にHTML変換処理を行ったデータは、APIを介してブラウザ１６に渡す。
【００３５】
Business Logic１５２は、上記Scriptファイルの解析によりScript Interpreter１５１で展開されて当該Script Interpreter１５１から渡された情報（表示対象パーツに関連付けられたアクションを示す情報）を基にアクション（複合機１の動作）を制御する。すなわち、Business Logic１５２は、ブラウザ１６により表示部５０に表示された表示画面に表示されている操作ボタン等の表示対象パーツがユーザにより操作されると、上記Script Interpreter１５１から渡された情報を基に、当該操作された表示対象パーツに関連付けられたアクションを解析し、解析した例えばスキャナ機能を実行するために、スキャナ送信APIを呼び出す。
【００３６】
登録部１５５は、ＰＣ３１の出力部３１４から送られてきた（或いは、外部メモリから読み出した）上記Scriptファイルの表示画面データを、表示部５０での表示用データとして登録し、登録部１５５又は記憶部１２に記憶させる。登録部１５５は、当該Scriptファイルの複数の表示画面データを上記表示用データとして登録する。なお、本実施形態では、表示画面のデータファイルとしてXML形式のScript ファイルを使用するが、システム構成上は、XML形式以外の他のマークアップ言語であっても構わない。
【００３７】
判別部１５４は、複合機１の図略の操作部等から当該ユーザによって入力されたユーザ識別情報に基づいて、当該ユーザ識別情報を含む表示用データを、登録部１５５によって登録された表示用データの中から判別する。なお、判別部１５４によって判別された表示用データは、Script Interpreter １５１、Business Logic１５２、ブラウザ１６及びコントローラ１１が表示部５０に表示させる。
【００３８】
表示頻度算出部１５６は、登録部１５５によって取得されて登録された表示画面（Scriptファイルでなり、ユーザによりカスタマイズされている表示画面）の画面データの表示部５０での表示頻度を、ユーザ識別情報に基づいてユーザ毎に算出する。
【００３９】
記憶部１２は、ＨＤＤ等からなり、コントローラ１１として動作させるための動作制御プログラム、拡張アプリケーション１５のプログラム等を含む表示制御プログラム、ブラウザ１６のプログラム等が記憶されている。複合機１の中央制御部であるＣＰＵが、記憶部１２に記憶されている各プログラムに従って動作することで、コントローラ１１、拡張アプリケーション１５、及びブラウザ１６等として機能する。また、記憶部１２は、上記登録された表示画面データであるScriptファイルも記憶する。
【００４０】
ブラウザ１６は、Web browserであり、Script Interpreter １５１によってHTML変換処理が行われた上記Scriptファイル（ＰＣ３１から送られてきた表示画面データ）を表示部５０に表示させる。ブラウザ１６は、本実施形態では、拡張アプリケーション１５で変換されたHTML変換処理後のファイルが示す画面構成に合わせて表示画面を表示部５０に表示し、また、当該表示画面の表示中に、ユーザからの指示入力操作を表示部５０のタッチパネル機能を介して受け付けるインタフェイスとなる。
【００４１】
次に、パネルクリエータ部３１２による表示画面生成及び複合機１への出力処理を説明する。図３はパネルクリエータ部３１２による表示画面生成及び複合機１への出力処理を示すフローチャートである。図４は（ａ）（ｂ）は表示部５０に表示される表示画面の一例を示す図、（ｃ）はパネルクリエータ部３１２による生成処理で作成された表示画面の例を示す図である。図５はカスタマイズ受付画面の一例を示す図である。
【００４２】
例えば、図４（ａ）に示すように、複合機１の表示部５０には、複合機１の電源オン時又は、操作パネル上の図略のアプリケーションキー（例えばハードキー）をユーザが押下したときに、コントローラ１１による制御で表示部５０に第１表示画面５１が表示される。第１表示画面５１で例えば「簡単スキャン」ボタン５１１をユーザが押下すると、コントローラ１１は、拡張アプリケーション１５を起動させる。拡張アプリケーション１５のBusiness Logic１５２は、例えば、図４（ｂ）に示すワークフロー選択画面５２に表示部５０の表示を遷移させる。当該ワークフロー選択画面５２において、ユーザにより「紹介状」ボタン５２１が選択され、「詳細」ボタン５２２が押下されると、Business Logic１５２は、「紹介状」ボタン５２１に対応するワークフローの設定を行うための詳細設定画面５３に表示部５０の表示を遷移させる。例えば、拡張アプリケーション１５（Script Interpreter １５１等）が、図４（ｂ）に示されるような表示画面の画面テンプレート、ボタンテンプレート及び文字列データを複数持っており、ユーザによりカスタマイズされてなる上記Scriptファイルを解析し、Scriptファイルが示す画面内で表示させるキーの個数に応じて、図４（ｃ）に示す詳細設定画面５３のように、持っている画面テンプレート等のデータを用いて、画面やボタンに文字列を当てはめて表示する。
【００４３】
パネルクリエータ部３１２では、例えば、当該詳細設定画面５３を構成する装置ボタン等の各表示対象パーツのカスタマイズをユーザから受け付けて表示画面を生成する処理を行う。
【００４４】
ユーザは、当該表示画面の生成処理を行う場合、例えば、ＰＣ３１の操作部（図略）を操作して、パネルクリエータ部３１２を起動させる。当該パネルクリエータ部３１２の起動により、ＰＣ３１の制御部３１０は、ディスプレイに、図５に示すようなカスタマイズ受付画面５４を表示させる（Ｓ１）。
【００４５】
ユーザが当該カスタマイズ受付画面５４において、マウス等の操作指示入力部を操作して、選択可能な表示対象パーツとして表示されている複数の操作ボタン５４１〜５５５やメッセージ表示５５６〜５６２の中から、所望の操作ボタン又はメッセージ表示を押下して所望の操作ボタン又はメッセージ表示を選択して指定すると、パーツ指定受付部３１２１は、当該選択された操作ボタン又はメッセージ表示を、表示画面（すなわち、複合機１の表示部５０に表示させる表示画面）に表示させる表示対象パーツとして受け付ける。更に、ユーザが、マウスのドラッグアンドドロップ操作を行って、当該選択された操作ボタン又はメッセージ表示を、カスタマイズ受付画面５４に表示されているデフォルト画面５７０内の所望の位置にドラッグさせると、当該位置に上記選択された操作ボタン等を配置するレイアウト指示がレイアウト指示受付部３１２２に受け付けられる（Ｓ２）。
【００４６】
続いて、アクション設定部３１２３は、上記のようにしてユーザから指定及び配置が指示された各表示対象パーツに対応するアクション（すなわち、複合機１で実行される各動作についての実行指示の受付）を、内蔵する記憶領域から読み出し、選択された各表示対象パーツに関連付けて設定する（Ｓ３）。例えば、ユーザが、解像度の「600×600dpi」ボタン５４１を指定した場合は、アクション設定部３１２３は、「600×600dpi」ボタン５４１に、スキャン動作時にスキャナ部に600×600dpiの解像度で原稿を読み取らせる動作についての実行指示の入力というアクションを割り当てる。或いは、「もどる」ボタン５５４が指定された場合は、図４（ｂ）のワークフロー選択画面５２に表示部５０の表示を遷移させる指示の入力を割り当てて設定する。このように、各表示対象パーツには、それぞれ対応するアクションが予め記憶されており、アクション設定部３１２３によって、対応する個別のアクションが割り当てられる。
【００４７】
さらに、ユーザ識別情報設定部３１２５は、ＰＣ３１の操作部等からユーザにより入力されたユーザ識別情報を、Ｓ１乃至Ｓ３で生成されている表示画面に関連付けて設定する（Ｓ４）。
【００４８】
上記Ｓ１乃至Ｓ４の処理は、ユーザが、デフォルト画面５７０内に表示させたい表示対象パーツボタンの指定及び配置を行い、カスタマイズ受付画面５４内の確定ボタン５８をマウス等によりクリックし、ユーザからの当該指定及び配置の終了指示が入力されるまで各表示対象パーツについて実行される（Ｓ５）。
【００４９】
ユーザによる上記表示対象パーツの指定及び配置が終了すると（Ｓ５でＹＥＳ）、生成部３１２４が上記表示対象パーツ指定、前記レイアウト指示、前記アクション設定及び前記ユーザ識別情報の設定によって定められた内容で、上記表示画面データをScriptファイルデータで生成する（Ｓ６）。このとき、パネルシミュレータ部３１３は、パネルクリエータ部３１２によってエクスポートされた上記Scriptファイルデータを読み込んで内容を解析し、ＰＣ３１のディスプレイでの表示を可能にするためにHTML形式のデータに変換を行う。
【００５０】
この後、出力部３１４は、パネルクリエータ部３１２によって生成された上記Scriptファイルでなり上記ユーザ識別情報を含む表示画面データを、上記ＬＡＮ等を介した通信方式で複合機１に対して送信する（Ｓ７）。
【００５１】
次に、複合機１における上記表示画面データの登録処理を説明する。図６は複合機１における上記表示画面データの登録処理を示すフローチャートである。
【００５２】
複合機１の登録部１５３は、上記Scriptファイルにエクスポートされた上記ユーザ識別情報を含む表示画面データがＰＣ３１から送信されてきたか否かを判断する（Ｓ１１）。ここで、登録部１５３が、ＬＡＮ等を介して上記表示画面データを受信すると（Ｓ１１でＹＥＳ）、受信した表示画面データを、表示部５０での表示用データとして登録して記憶部１２に記憶させる（Ｓ１２）。
【００５３】
次に、画像形成システム１０による、上記ＰＣ３１で生成された表示画面の表示部５０での表示制御処理、及びユーザからの動作実行指示の受付処理の第１実施形態を説明する。図７は画像形成システム１０による、上記ＰＣ３１で生成された表示画面の表示部５０での表示制御処理、及びユーザからの動作実行指示の受付処理の第１実施形態を示すフローチャートである。
【００５４】
複合機１の電源オンによる起動時等、コントローラ１１は、図略の操作部の操作でユーザからユーザ識別情報が入力されたか否かを判断する（Ｓ２１）。
【００５５】
ユーザからユーザ識別情報が入力され（Ｓ２１でＹＥＳ）、コントローラ１１が、入力されたユーザ識別情報が上記登録されているユーザ識別情報に一致し、複合機１の操作を変更する操作が許可されたユーザであることを認証できた場合（Ｓ２２でＹＥＳ）、コントローラ１１が第１画面５１を表示部５０に表示させた後、ユーザからの指示に基づいて、Business Logic１５２が表示部５０に例えばワークフロー選択画面５２を表示させる（Ｓ２３）。
【００５６】
そして、Business Logic１５２が表示部５０にワークフロー選択画面５２を表示させているときに（Ｓ２３）、ユーザにより例えば「紹介状」ボタン５２１等が押下操作されて、次の階層への画面遷移指示が受け付けられると（Ｓ２４でＹＥＳ）、判別部１５４は、それまで表示部５０に表示されていた表示画面についての遷移後の表示画面として、Ｓ２２で認証されたユーザのユーザ識別情報を含む表示画面データを、登録部１５５によって登録された表示画面データの中から判別する（Ｓ２６）。
【００５７】
Script Interpreter １５１は、上記判別された表示画面のScriptファイルを記憶部１２等から読み出して（Ｓ２７）、当該Scriptファイルを解析し、表示部５０に表示画面を表示するためのHTML変換処理と、表示画面内に配置された操作ボタン等の表示対象パーツに関連付けられたアクションを実行するためのBusiness Logic１５２への展開処理とを行う（Ｓ２８）。Business Logic１５２は、Script Interpreter １５１から得た当該HTML変換処理後のデータを表示部５０での表示を可能とする処理を行って表示用データとする（Ｓ２９）。ブラウザ１６は、当該表示用データを表示部５０に表示する（Ｓ３０）。
【００５８】
これにより、表示部５０に、ＰＣ３１のパネルクリエータ部３１２で生成された表示画面（例えば図４（ｃ）に示した詳細設定画面５３）であって、当該時点で複合機１を使用しているユーザに対応付けられた表示画面が表示される。この点で、Script Interpreter １５１、Business Logic１５２、ブラウザ１６、及びコントローラ１１が特許請求の範囲の表示制御部として機能する。
【００５９】
このブラウザ１６による上記表示画面の表示中に、ユーザによるタッチパネル機能を利用した操作で、例えば図４（ｃ）に示した詳細設定画面５３のいずれかの表示ボタンが押下され、ユーザから動作実行指示が入力されると（Ｓ３１でＹＥＳ）、Business Logic１５２は、上記Script Interpreter１５１から渡された情報を基に、当該操作された表示ボタンに関連付けられたアクションを解析する（Ｓ３２）。例えば、Business Logic１５２は、詳細設定画面５３の「600×600dpi」ボタン５４１がユーザにより押下されると、当該「600×600dpi」ボタン５４１に対応する機能動作が、スキャン動作時にスキャナ部に600×600dpiの解像度で原稿を読み取らせる動作についての実行指示の入力であることを、Script Interpreter１５１から渡された情報を基に解析する。
【００６０】
続いて、Business Logic１５２は、上記解析した機能を実行するために、当該機能に対応するAPIを呼び出し、コントローラ１１に上記解析した機能を実行させる（Ｓ３３）。例えば、Business Logic１５２は、詳細設定画面５３の表示中に、「600×600dpi」ボタン５４１がユーザにより押下されると、当該「600×600dpi」ボタン５３１に対応する機能動作が、スキャン動作時にスキャナ部に600×600dpiの解像度で原稿を読み取らせる動作についての実行指示の入力であることを、Script Interpreter１５１から渡された情報を基に解析し、当該「スキャナ部に600×600dpiの解像度で原稿を読み取らせる動作についての実行指示の入力」を受け付ける。そして、Business Logic１５２は、「スキャナ部に600×600dpiの解像度で原稿を読み取らせる動作」を実行するために、「スキャナ部に600×600dpiの解像度で原稿を読み取らせる動作」に対応するAPIを呼び出す。
【００６１】
コントローラ１１は、上記APIに従って、指示された動作を実行する（Ｓ３４）。例えば、コントローラ１１は、スキャナ部に600×600dpiの解像度で原稿を読み取らせる動作」を実行する。すなわち、Business Logic１５２がAPIを介してコントローラ１１にスキャナ部に600×600dpiの解像度で原稿を読み取らせることを設定する。
【００６２】
これにより、複数のユーザが所望通りに操作ボタン等をカスタマイズして配置した表示画面を、それぞれに複合機１に登録させた場合に、各ユーザに対応付けられた各ユーザ所望の表示画面が的確に選択されて表示部５０に表示される。
【００６３】
次に、画像形成システム１０による、上記ＰＣ３１で生成された表示画面の表示部５０での表示制御処理、及びユーザからの動作実行指示の受付処理の第２実施形態を説明する。図８は画像形成システム１０による、上記ＰＣ３１で生成された表示画面の表示部５０での表示制御処理、及びユーザからの動作実行指示の受付処理の第２実施形態を示すフローチャートである。なお、第１実施形態と同様の処理は説明を省略する。
【００６４】
第２実施形態では、判別部１５４が、ユーザ識別情報に対応付けられている表示画面データを判別したとき（Ｓ５６）、表示頻度算出部１５６は、当該特定された表示画面についてその表示回数をカウントアップし、予め定められた期間（例えば1週間）内における表示回数を表示頻度として算出して記録する（Ｓ５７）。算出した算出頻度は、表示頻度算出部１５６が記憶しておく。
【００６５】
この後、判別部１５４は、Scriptファイルでなり、当該認証されたユーザによりカスタマイズされている表示画面であって、表示頻度算出部１５６によって算出された表示頻度が最も高い表示画面を判別する（Ｓ５８）。そして、Script Interpreter １５１によって、当該判別された表示画面のScriptファイルが記憶部１２等から読み出されて（Ｓ５９）、Ｓ６０以降の処理が第１実施形態と同様に行われる。
【００６６】
これにより、一人のユーザが複数の表示画面を上記遷移後の表示画面として同じユーザ識別情報を用いて複合機１に登録している場合であっても、当該ユーザに対応付けられた表示画面の中で、この時点で当該ユーザが最も利用を欲すると想定される表示画面が的確に選択されて、表示部５０に表示される。
【００６７】
なお、本発明は上記実施の形態の構成に限られず種々の変形が可能である。例えば、上記実施形態では、ＰＣ３１のパネルクリエータ部３１２及びパネルシミュレータ部３１３で生成された表示画面は複合機１で表示されるとして説明しているが、当該生成された表示画面は複合機１での表示に限定されるものではなく、他の電気機器での表示にも適用可能である。
【００６８】
また、本発明の範囲は上記に示した各実施形態に限定されるものではなく、発明の主旨を逸脱しない範囲で種々の変更を加えて実施することができる。上記実施形態では、本発明の実施形態の構成及び処理を図１乃至図８に示しているが、当該構成及び処理は本発明の実施形態の単なる一例に過ぎない。
【図面の簡単な説明】
【００６９】
【図１】本発明の一実施形態に係る画像形成システムの一例を示す図である。
【図２】ＰＣ及び複合機について表示画面の生成処理及び表示処理に必要な構成を示す図である。
【図３】パネルクリエータ部による表示画面生成及び複合機への出力処理を示すフローチャートである。
【図４】（ａ）（ｂ）は表示部に表示される表示画面の一例を示す図、（ｃ）はパネルクリエータ部による生成処理で作成された表示画面の例を示す図である。
【図５】カスタマイズ受付画面の一例を示す図である。
【図６】複合機における上記表示画面データの登録処理を示すフローチャートである。
【図７】画像形成システムによる、上記ＰＣで生成された表示画面の表示部での表示制御処理、及びユーザからの動作実行指示の受付処理の第１実施形態を示すフローチャートである。
【図８】画像形成システムによる、上記ＰＣで生成された表示画面の表示部での表示制御処理、及びユーザからの動作実行指示の受付処理の第２実施形態を示すフローチャートである。
【符号の説明】
【００７０】
１          複合機
１０        画像形成システム
１１        コントローラ
１３        プラットフォーム
１５        拡張アプリケーション
１５１      Script Interpreter
１５２      Business Logic
１５３      ユーザ認証部
１５４      判別部
１５５      登録部
１５６      表示頻度算出部
１６        ブラウザ
５０        表示部
３１〜３４  ＰＣ
３１０      制御部
３１１      記憶部
３１２      パネルクリエータ部
３１２１    パーツ指定受付部
３１２２    レイアウト指示受付部
３１２３    アクション設定部
３１２４    生成部
３１２５    ユーザ識別情報設定部
３１３      パネルシミュレータ部
３１４      出力部
ＳＶ２      サーバコンピュータ
【図１】
2009302921.tif 000003
【図２】
2009302921.tif 000004
【図３】
2009302921.tif 000005
【図４】
2009302921.tif 000006
【図５】
2009302921.tif 000007
【図６】
2009302921.tif 000008
【図７】
2009302921.tif 000009
【図８】
2009302921.tif 000010